(57)【特許請求の範囲】
【請求項１】
顧客の物品を内在した物品収容器を受け入れて収納するとともに、前記顧客からの取り出し要求に応じて収納される前記物品収容器を機内より払出す物品預入払出機であって、
前記顧客の生体情報である登録生体情報と、前記顧客から受け付ける記憶媒体を特定する情報である媒体特定情報とを記憶する記憶媒体を前記顧客から受け付ける記憶媒体受付手段と、
前記記憶媒体受付手段により受け付けられた記憶媒体に記憶される登録生体情報と、前記顧客から入力された生体情報である入力生体情報とが一致していることを条件に、それぞれ媒体特定情報を記憶する複数の物品収容器から、前記記憶媒体受付手段による受け付けられた媒体特定情報によって特定される物品収容器を払出す収容器払出手段と、
前記記憶媒体受付手段により受け付けられた記憶媒体に記憶される媒体特定情報によって特定された前記物品収容器が複数ある場合に、前記複数の物品収容器に対応付けられたそれぞれの識別番号を所定の表示部に出力して、当該識別番号の選択を顧客から受け付ける識別番号受付手段とを備え、
前記収容器払出手段は、前記識別番号受付手段によって受け付けられた識別番号によって特定された当該物品収容器を払出す
ことを特徴とする物品預入払出機。
【請求項２】
前記物品収容器は、前記媒体特定情報に加え、当該物品収容器を一意に特定する識別番号をさらに記憶することを特徴とする請求項１に記載の物品預入払出機。
【請求項３】
少なくとも、前記媒体特定情報を記憶する記憶手段を備え、
前記物品収容器の払出し時に、前記物品収容器に記憶された媒体特定情報を読み取り、前記記憶手段に記憶された媒体特定情報と一致するかを精査することを特徴とする請求項２に記載の物品預入払出機。
【発明の詳細な説明】
【技術分野】
【０００１】
この発明は、顧客の物品を内在した物品収容器を受け入れて収納するとともに、顧客からの取り出し要求に応じて収納される物品収容器を機内より払出す物品預入払出機に関する。
【背景技術】
【０００２】
従来より、銀行などの金融機関では、各顧客が自らの通帳やキャッシュカードを用いて預金や引き出しを行う。また、最近では、このような金融機関などで使用される自動貨幣取引機において、顧客の生体情報を記憶したＩＣキャッシュカードを用いて本人認証を行うことが一般的に行われている。このため、本来は、通帳、ＩＣキャッシュカードおよび印鑑などの重要物は、顧客の自己責任の下に管理されるのが原則である。
【０００３】
顧客の重要物を管理するものとして、金融機関などでは、貸金庫サービスなどを提供している。そして、かかるサービスの管理コストを低減し、利便性を向上させる重要物を収容する重要物預かり機が特許文献１（特開２００７−２５７１号公報）に開示されている。
【０００４】
具体的には、特許文献１では、契約時に予め重要物を内在させるカセットに契約者である顧客の生体情報を記憶させ、契約後の使用においては、重要物預かり機が、顧客の生体情報を読み取り、収納済みの各カセット内に記憶させている生体情報との比較を行い、適正な顧客であるか否かを認証している。
【先行技術文献】
【特許文献】
【０００５】
【特許文献１】特開２００７−２５７１号公報
【発明の概要】
【発明が解決しようとする課題】
【０００６】
しかしながら、上記した従来の技術は、顧客を適正に認証して適切な物品収容器を払出すのに際して、機内に生体情報を記憶している必要があるという課題があった。言い換えれば、従来技術である重要物を収容する重要物預かり機である物品預入払出機は、個人情報のうち特に近年重要視されている生体情報を機内に収納する物品収容器に記憶させているので、特に、膨大な人数の顧客が利用しており、機内に膨大な数の生体情報を保持している場合など、生体情報が外部に漏れることを防止する強固なセキュリティを確保する必要があった。
【０００７】
そこで、この発明は、上述した従来技術の課題を解決するためになされたものであり、機内に生体情報を記憶することなく、顧客を適正に認証して適切な物品収容器を払出すことが可能である物品預入払出機を提供することを目的とする。
【課題を解決するための手段】
【０００８】
上述した課題を解決し、目的を達成するため、請求項１に係る発明は、顧客の物品を内在した物品収容器を受け入れて収納するとともに、前記顧客からの取り出し要求に応じて収納される前記物品収容器を機内より払出す物品預入払出機であって、前記顧客の生体情報である登録生体情報と、前記顧客から受け付ける記憶媒体を特定する情報である媒体特定情報とを記憶する記憶媒体を前記顧客から受け付ける記憶媒体受付手段と、前記記憶媒体受付手段により受け付けられた記憶媒体に記憶される登録生体情報と、前記顧客から入力された生体情報である入力生体情報とが一致していることを条件に、それぞれ媒体特定情報を記憶する複数の物品収容器から、前記記憶媒体受付手段による受け付けられた媒体特定情報によって特定される物品収容器を払出す収容器払出手段と、前記記憶媒体受付手段により受け付けられた記憶媒体に記憶される媒体特定情報によって特定された前記物品収容器が複数ある場合に、前記複数の物品収容器に対応付けられたそれぞれの識別番号を所定の表示部に出力して、当該識別番号の選択を顧客から受け付ける識別番号受付手段とを備え、前記収容器払出手段は、前記識別番号受付手段によって受け付けられた識別番号によって特定された当該物品収容器を払出すことを特徴とする。
【０００９】
また、請求項２に係る発明は、上記の発明において、前記物品収容器は、前記媒体特定情報に加え、当該物品収容器を一意に特定する識別番号をさらに記憶することを特徴とする。
【００１０】
また、請求項３に係る発明は、上記の発明において、少なくとも、前記媒体特定情報を記憶する記憶手段を備え、前記物品収容器の払出し時に、前記物品収容器に記憶された媒体特定情報を読み取り、前記記憶手段に記憶された媒体特定情報と一致するかを精査することを特徴とする。
【発明の効果】
【００１１】
本発明によれば、顧客の生体情報である登録生体情報と、顧客から受け付ける記憶媒体を特定する情報である媒体特定情報とを記憶する記憶媒体を前記顧客から受け付け、受け付けられた記憶媒体に記憶される登録生体情報と、顧客から入力された生体情報である入力生体情報とが一致していることを条件に、それぞれ媒体特定情報を記憶する複数の物品収容器から、受け付けられた媒体特定情報によって特定される物品収容器を払出すので、機内に生体情報を記憶することなく、顧客を適正に認証して適切な物品収容器を払出すことが可能である。特に、記憶媒体に記憶される媒体特定情報によって特定された物品収容器が複数ある場合に、複数の物品収容器に対応付けられたそれぞれの識別番号を所定の表示部に出力して、当該識別番号の選択を顧客から受け付け、受け付けられた識別番号によって特定された当該物品収容器を払出すよう構成したので、顧客が複数の物品収容器を利用することができる結果、顧客の利便性を向上させることが可能である。
【図面の簡単な説明】
【００１２】
【図１】実施例１に係る物品預入払出機の全体構成を示すシステム構成図である。
【図２】カセット２００の蓋を閉めた状態を示す斜視図である。
【図３】カセット２００の蓋を開けた状態を示す斜視図である。
【図４】カセット２００に付設されるＩＤタグ２３０に記憶される情報の例を示す図である。
【図５】ＩＣキャッシュカード５００の全体構成を示す図である。
【図６】ＩＣキャッシュカード５００付設されたＩＣタグ５１０に記憶される情報の例を示す図である。
【図７】実施例１に係る物品預入払出機１００の外観を示す図である。
【図８】実施例１に係る物品預入払出機１００の内部構成を示すブロック図である。
【図９】顧客情報登録テーブル３５１に記憶される情報の例を示す図である。
【図１０】カセット収納テーブル３５２に記憶される情報の例を示す図である。
【図１１】係員情報テーブル３５３に記憶される情報の例を示す図である。
【図１２】実施例１に係る物品預入払出機１００による全体的な処理の流れを示すフローチャートである。
【図１３−１】表示操作部１３０に表示される画面例を示す図である。
【図１３−２】表示操作部１３０に表示される画面例を示す図である。
【図１３−３】表示操作部１３０に表示される画面例を示す図である。
【図１３−４】表示操作部１３０に表示される画面例を示す図である。
【図１４】実施例１に係る物品預入払出機１００による契約処理の流れを示すフローチャートである。
【図１５】実施例１に係る物品預入払出機１００による解約処理の流れを示すフローチャートである。
【図１６】実施例１に係る物品預入払出機１００による預入処理の流れを示すフローチャートである。
【図１７】実施例１に係る物品預入払出機１００による払出処理の流れを示すフローチャートである。
【発明を実施するための形態】
【００１３】
以下に添付図面を参照して、この発明に係る物品預入払出機の実施例を詳細に説明する。なお、以下では、本実施例で用いる主要な用語、本実施例に係る物品預入払出機の概要および特徴、物品預入払出機の構成および処理の流れを順に説明し、最後に本実施例に対する種々の変形例を説明する。
【実施例１】
【００１４】
［用語の説明］
まず、本実施例で用いる主要な用語を説明する。本実施例で用いる「物品預入払出機（特許請求の範囲に記載の「物品預入払出機」に対応する。）」とは、顧客が、通帳、ＩＣキャッシュカードおよび印鑑などの重要物をカセット（特許請求の範囲に記載の「物品収容器」に対応する）に入れて預ける金融機関などにより提供される貸金庫サービスなどの重要物預かり機のことである。この「物品預入払出機」は、主として銀行、郵便局などの金融機関のＡＴＭ（Automated  Teller  Machine）などが設置されている場所に設置することができる。
【００１５】
また、本実施例では、顧客の生体情報として静脈情報を用いる場合について説明するが、静脈情報以外にも個人を特定できる情報として、指紋、掌紋、網膜、虹彩、音声、顔画像などの生体情報を用いることもできる。さらには、生体情報として、顧客を特定することができる身体的特徴（生体的特徴）や行動的特徴（癖）などの情報を用いるようにしてもよい。
【００１６】
また、顧客から受け付ける記憶媒体を特定する情報としてＩＣキャッシュカードを用いているが、本発明はこれに限定されるものではなく、生体情報を記憶する記憶媒体であればいずれの記憶媒体であってもよい。具体的には、このＩＣキャッシュカードは、生体情報と顧客を一意に特定する顧客情報として『顧客が契約する取引銀行の「銀行番号」、この取引銀行のうちの顧客がカセット２００を買取契約又はリース契約を行った支店を特定する「支店番号」、顧客がこの取引銀行に開いた口座の種類を示す「科目」、顧客がこの取引銀行に開いた口座の「口座番号」』を記憶する銀行などにより発行されるＩＣキャッシュカードを用いて認証を行い、この「銀行番号、支店番号、科目、口座番号」でカセットを特定しているが、本発明はこれに限定されるものではなく、顧客から受け付ける媒体を特定する情報や顧客を特定できる顧客情報であれば、例えば、生体情報を記憶する医療カード、住民カードなど様々なカードを用いることができる。
【００１７】
［物品預入払出機の概要および特徴］
次に、図１を用いて、実施例１に係る物品預入払出機の概要および特徴を説明する。図１は、実施例１に係る物品預入払出機の全体構成を示すシステム構成図である。
【００１８】
図１に示すように、この物品預入払出機１００は、顧客が所有して重要物を入れるカセット２００の受け入れまたは払い出しを行うカセット受渡口１２０と、カセット２００を収納する複数のカセット収納部３００と、顧客の生体情報と顧客を特定する「銀行番号、支店番号、科目、口座番号」とを記憶し、生体情報を用いて生体認証を実施するＩＣキャッシュカード５００を受け入れまたは払い出しを行うカード挿入口１５０と、顧客の生体情報を取得してＩＣキャッシュカード５００に送信する生体情報取得部１４０と、顧客に対する処理ガイダンスの表示およびカセット番号の受付などを行う後述する表示操作部１３０（図７参照）とから構成される。
【００１９】
また、物品預入払出機１００は、顧客が所有するカセット２００を特定する情報を記憶する顧客情報登録テーブル３５１と、カセット２００の収納位置を記憶するカセット収納テーブル３５２とを備える。具体的には、顧客情報登録テーブル３５１は、契約している顧客を示す「顧客名」に対応付けて「銀行番号、支店番号、科目、口座番号」と、顧客が所有するカセットを一意に識別する「カセット番号」とを記憶し、例えば、「桑田○○男、ＡＢＳＸＸＸ、Ｈ２０ＸＸＸ、普通、０００１１１、０１２３」などと記憶する。
【００２０】
また、カセット収納テーブル３５２は、「カセット番号」に対応付けて、カセット２００の位置を示す「アドレス番号」と当該カセット２００の状態を示す「フラグ」とを記憶し、例えば、「０１２３、０００Ｘ００１、０１」などと記憶する。なお、この「フラグ」は、当該カセット２００が契約中であれば「０１」、未契約であれば「００」となる。
【００２１】
このような構成において、この物品預入払出機１００は、顧客の物品を内在したカセット２００を受け入れて収納するとともに、顧客からの取り出し要求に応じて収納されるカセット２００を機内より払出すことを概要とするものであり、特に、機内に生体情報を記憶することなく、顧客を適正に認証して適切なカセット２００を払出すことが可能である点に主たる特徴がある。
【００２２】
この主たる特徴を具体的に説明するために、顧客がこの物品預入払出機１００から重要物を取出す場合（顧客がカセット２００を受け取る場合）について説明する。物品預入払出機１００は、カード挿入口１５０により受け付けられたＩＣキャッシュカード５００に記憶される生体情報と、顧客から入力された生体情報とが一致していることを条件に、それぞれ顧客情報を記憶する複数のカセット２００から、カード挿入口１５０による受け付けられた顧客情報によって特定されるカセット２００を払出す。
【００２３】
具体的には、顧客によってＩＣキャッシュカード５００がカード挿入部１５０に挿入されると、表示操作部１３０上に表示された「払出」「預入」「契約」「解約」などの各種処理を選択させる画面を表示させる。すると、物品預入払出機１００は、挿入されたＩＣキャッシュカード５００に記憶される「銀行番号、支店番号、科目、口座番号」を取得する。
【００２４】
続いて、表示操作部１３０上に表示された「取出ボタン」が顧客によって選択され、生体情報取得部１４０に掌が置かれると、物品預入払出機１００の生体情報取得部１４０は、置かれた顧客の掌から生体情報（静脈情報）を取得して、カード挿入部１５０に挿入されているＩＣキャッシュカード５００に当該生体情報を送信する。顧客の生体情報を受信したＩＣキャッシュカード５００は、記憶している生体情報と受信した生体情報とが一致するか否かを判定する生体認証を実施する。
【００２５】
そして、ＩＣキャッシュカード５００により両者の生体情報が一致しており正当な顧客であると認証されると、物品預入払出機１００は、カード挿入部１５０に挿入されているＩＣキャッシュカード５００から取得した顧客情報「銀行番号、支店番号、科目、口座番号」に対応するカセット番号を、顧客情報登録テーブル３５１より特定して取得する。続いて、物品預入払出機１００は、顧客情報登録テーブル３５１より取得したカセット番号に対応するアドレス番号をカセット収納テーブル３５２より取得して、当該顧客の契約下にあるカセット２００が格納されているカセット収納部３００を特定する。そして、物品預入払出機１００は、特定したカセット収納部３００に収納されるカセット２００を、カセット搬送装置４００より搬送してカセット受渡口１２０に排出する。そうすることで、顧客は、自分が契約しているカセット２００を受け取ることができる。
【００２６】
一方、顧客がこの物品預入払出機１００から重要物を預け入れる場合（顧客がカセット２００を預け入れる場合）について説明すると、上記した場合と同様に、物品預入払出機１００は、表示操作部１３０上に表示された「払出」「預入」「契約」「解約」などの各種処理を選択させる画面を表示させる。
【００２７】
そして、表示操作部１３０上に表示された「預入ボタン」が顧客によって選択され、カセット受渡口１２０にカセット２００が挿入されると、物品預入払出機１００は、カード挿入部１５０に投入されているＩＣキャッシュカード５００から取得した顧客情報「銀行番号、支店番号、科目、口座番号」に対応するカセット番号を、顧客情報登録テーブル３５１より特定して取得する。続いて、物品預入払出機１００は、顧客情報登録テーブル３５１より取得したカセット番号に対応するアドレス番号をカセット収納テーブル３５２より取得して、当該顧客の契約下にあるカセット２００が収納されるべきカセット収納部３００を特定する。そして、物品預入払出機１００は、カセット受渡口１２０に投入されたカセット２００を、特定したカセット収納部３００にカセット搬送装置４００を用いて搬送し、当該カセットが収納されるべきアドレス番号に収納する。そうすることで、顧客は、カセット２００を物品預入払出機１００に預け入れることができる。
【００２８】
このように、実施例１に係る物品預入払出機１００は、顧客より取得した生体情報をＩＣキャッシュカードに送信して、ＩＣキャッシュカードによって生体認証が実施され、顧客が正当であるかが認証される結果、上記した主たる特徴のごとく、機内に生体情報を記憶することなく、顧客を適正に認証して適切なカセットを払出すことが可能である。
【００２９】
［カセット２００の構成］
次に、図２〜図４を用いて、図１に示した物品預入払出機１００におけるカセット２００の構成を説明する。図２は、カセット２００の蓋を閉めた状態を示す斜視図であり、図３は、カセット２００の蓋を開けた状態を示す斜視図であり、図４は、カセット２００に付設されるＩＤタグ２３０に記憶される情報の例を示す図である。
【００３０】
図２及び図３に示すように、カセット２００は、上部ケース２１０の一側縁と下部ケース２２０の一側縁とを開閉自在に接合して、薄厚状のカバン型に形成したものである。このため、このカセット２００の内部には、顧客が物品預入払出機１００に預ける物品を収納することができる。
【００３１】
ここでは、顧客の預金通帳（○△銀行）と印鑑をカセット２００の内部に収納した場合を示しているが、このカセット２００には、銀行の預金通帳や印鑑以外にも顧客が重要物としている物品（他の銀行の通帳、有価証券、証書類、パスポート、キャッシュカード、鍵など）を適宜収納することができる。
【００３２】
図２及び図３に示すように、カセット２００の下部ケース２２０には、非接触型のＲＦＩＤ（Radio  Frequency  Identification）タグ２３０（以下、単に「ＩＤタグ２３０」と言う）が取り付けられている。このＩＤタグ２３０は、データを記憶するメモリ２３１を内在するＩＣチップとアンテナ部により形成されており、このメモリ２３１内には、図４に示すように、カセット番号、銀行番号、支店番号、科目、口座番号及び機体番号が格納されている。なお、このＩＤタグ２３０の配設位置は、図示した位置に限定されるものではなく、下部ケース２２０の他の位置や上部ケース２１０に配設することもできる。
【００３３】
ここで、このカセット番号は、各カセットを一意に識別可能なユニークな番号（００００〜９９９９で表される４桁の番号）であり、装置内部に設けられた各カセット収納部３００と一対一に対応付けられている。また、顧客が新たにカセット２００を取得する場合には、係員の操作の下で顧客が空きカセット２００の中から所望のカセット番号を選択し、該カセット番号を有するカセット２００を装置内部のカセット収納部３００から排出するようにしてもよい。なお、カセット収納テーブル３５２では、カセット番号、カセット収納部３００のアドレス番号及びフラグを対応付けて記憶しており、新たにカセットを顧客に貸し出す場合には、該当するカセット番号に対応するフラグを未使用フラグ「００」から登録済みフラグ「０１」に変更することになる。
【００３４】
銀行番号は、顧客が契約する取引銀行の銀行番号であり、支店番号は、この取引銀行のうちの顧客がカセット２００を買取契約又はリース契約を行った支店を特定する支店番号であり、科目は、顧客がこの取引銀行に開いた口座の種類を示しており、口座番号は、顧客がこの取引銀行に開いた口座の口座番号である。具体的にここでは、銀行番号が「ＡＢＳＸＸＸ」であり、支店番号が「Ｈ２０ＸＸＸ」であり、科目が「普通」であり、口座番号が「０００１１１」である場合を示している。機体番号は、物品預入払出機１００が複数台配設された場合の各装置の号機番号であり、ここでは「１」である場合を示している。なお、この号機番号の代わりに物品預入払出機１００の製造番号（ロット番号等）を用いることもできる。
【００３５】
なお、本実施例では、カセット番号及び登録生体情報等を記憶したＩＤタグ２３０をカセット２００に付設することとしたが、このＩＤタグ２３０の代わりにバーコードをカセット２００に貼付することもできる。ただし、バーコードは、保持できる情報量に制約があるため、情報の一部のみをバーコードに持たせ、生体情報を除く残部を装置内部に保持させることもできる。
【００３６】
また、図２及び図３に示すように、下部ケース２２０の側面の２箇所には、一対のピン２４０が設けられており、このピン２４０は、カセット搬送装置４００と係合自在の形状に構成されている。顧客がカセット２００を預け入れる場合には、この一対のピン２４０とカセット搬送装置４００とが互いに係合し把持することで、カセット２００を本体部１１０内に引き込むことができる。
【００３７】
また、図３に示すように、カセット２００の上部ケース２１０のほぼ中央位置にはロック爪２１１が設けられている。このロック爪２１１は、カセット２００の上部ケース２１０を閉じた際に施錠を行なう施錠機構であり、施錠ロック２５０の番号（４桁の暗証番号）を組み合わせることにより、適宜、カセット２００の施錠／解錠が行われる。したがって、このカセット２００内に入れた預金通帳などの重要物は、この施錠機構により厳重に保管される。
【００３８】
［ＩＣキャッシュカード５００の構成］
次に、図５と図６とを用いて、図１に示した物品預入払出機１００におけるＩＣキャッシュカード５００の構成を説明する。図５は、ＩＣキャッシュカード５００の全体構成を示す図であり、図６は、ＩＣキャッシュカード５００に付設されたＩＣタグ５１０に記憶される情報の例を示す図である。
【００３９】
図５に示すように、ＩＣキャッシュカード５００は、生体情報を記憶し生体認証を実行するＩＣタグ５１０と、このＩＣキャッシュカード５００を一意に識別するために、一般的には銀行の支店番号と口座番号から構成される識別番号５２０とから構成される。上記した例で具体的に説明すると、識別番号５２０は、Ｈ２０ＸＸＸ―０００１１１などと表示される。
【００４０】
そして、ＩＣタグ５１０は、生体情報と顧客情報「銀行番号、支店番号、科目、口座番号」とを記憶する記憶部と、物品預入払出機１００の生体情報取得部１４０から顧客の生体情報を受信して生体認証を実行する生体認証部とを備える。記憶部は、図６に示すように『顧客の生体情報を示す「生体情報」に加え、上記した「銀行番号、支店番号、科目、口座番号」』を記憶する。例を挙げれば、記憶部は、「生体情報、銀行番号、支店番号、科目、口座番号」として「静脈情報Ａ、ＡＢＳＸＸＸ、Ｈ２０ＸＸＸ、普通、０００１１１」などと記憶する。
【００４１】
また、生体認証部は、物品預入払出機１００の生体情報取得部１４０から顧客の生体情報を受信し、受信した生体情報と記憶部に記憶される生体情報とが一致しているか否かを判定する生体認証を実施する。そして、生体認証部は、一致しているまたは一致していないなどの認証した結果を、後述する物品預入払出機１００の統括制御部６１０に出力する。
【００４２】
［物品預入収容器１００の構成］
次に、図７〜図１１を用いて、図１に示した物品預入払出機１００の外観および内部構成を説明する。図７は、実施例１に係る物品預入払出機１００の外観を示す図であり、図８は、実施例１に係る物品預入払出機１００の内部構成を示すブロック図であり、図９は、顧客情報登録テーブル３５１に記憶される情報の例を示す図であり、図１０は、カセット収納テーブル３５２に記憶される情報の例を示す図であり、図１１は、係員情報テーブル３５３に記憶される情報の例を示す図である。
【００４３】
（物品預入払出機１００の外観）
図７に示すように、この物品預入払出機１００は、銀行などに配設されるＡＴＭとほぼ同様のコンソール型の外観を有し、この物品預入払出機１００を構成する本体部１１０（筐体）の前面には、カセット２００の受け入れ及び排出を行うカセット受渡口１２０と、顧客へのガイダンス表示及びカセット番号等の入力の受け付けを行うタッチパネル式の表示操作部１３０と、顧客からＩＣキャッシュカード５００を受け付けるカード挿入口１５０と、顧客の生体情報を取得してカード挿入口１５０に挿入されたＩＣキャッシュカード５００に送信する生体情報取得部１４０とがそれぞれ配設されている。また、本体部１１０の内部には、カセット２００を収納するための複数のカセット収納部３００が設けられている。なお、それぞれの機能部の詳細な説明は、物品預入払出機１００の内部構成において説明するので、ここでは省略する。
【００４４】
（物品預入払出機１００の内部構成）
次に、図８を用いて、物品預入払出機１００の内部構成についてさらに詳細に説明する。図８に示すように、物品預入払出機１００は、扉開閉検知センサ１１１と、顧客検知センサ１１２と、表示操作部１３０と、生体情報取得部１４０と、カード挿入部１５０と、記憶部３５０と、カセット搬送装置４００と、搬送駆動制御部４４４と、駆動モータ部４４５と、主制御部６００に接続された構成となる。
【００４５】
扉開閉検知センサ１１１は、物品預入払出機１００の本体部１１０の一部をなす扉の開閉を検知するセンサであり、顧客検知センサ１１２は、物品預入払出機１００に接近する顧客（人体）を検知するセンサである。本実施例では、この顧客検知センサ１１２により顧客が検知された場合に、表示操作部１３０が点灯し、ＩＣキャッシュカード５００の挿入、カセット２００の預入操作又は取出操作を可能としている。
【００４６】
表示操作部１３０は、タッチパネル式の液晶表示器により形成される表示デバイス及び入力デバイスであり、後述するカセット２００の預け入れ又は取り出しを行う際の顧客に対するガイダンス表示を行うとともに、契約ボタン、解約ボタン、預入ボタン、取出ボタンの選択操作並びにテンキーよるカセット番号や暗証番号の入力操作などを顧客や保守員より受け付ける。
【００４７】
また、ここではその詳細な説明を省略するが、係員がこの表示操作部１３０に対して所定の操作を行って「カセット番号検索モード」に移行すれば、かかる表示操作部１３０の操作によって顧客がカセット２００のカセット番号を忘れた場合にカセット番号を検索することもできる。なお、この表示操作部１３０の制御等は、主制御部６００に組み込まれた図示しないドライバソフトウェアにより行なわれる。
【００４８】
搬送駆動制御部４４４は、カセット搬送装置４００の搬送を制御する制御部であり、駆動機構をなす駆動モータ部４４５が接続されている。この搬送駆動制御部４４４では、駆動モータ部４４５の駆動を制御することにより、カセット搬送装置４００の移動方向を制御している。
【００４９】
駆動モータ部４４５は、ステッピングモータなどを使用することができ、搬送駆動制御部４４４により駆動制御され、カセット収納部３００からカセットを取出したり、格納したりする。
【００５０】
カード挿入部１５０は、顧客を一意に認証するための認証情報である生体情報と、顧客情報とを記憶するＩＣキャッシュカード５００を顧客から受け付ける。具体的には、カード挿入部１５０は、ＩＣキャッシュカード５００などの生体情報を記憶し生体認証を実行することができる記憶媒体を顧客より受け付け、受け付けた旨の信号を後述する主制御部６００に出力したり、顧客によって挿入されたＩＣキャッシュカード５００が抜き出されたことを示す信号を主制御部６００に出力したり、また、挿入されたＩＣキャッシュカード５００を排出する指示を後述する統括制御部６１０から受け付けたりする。
【００５１】
生体情報取得部１４０は、顧客の生体情報を取得して、カード挿入部１５０に挿入されたＩＣキャッシュカード５００に出力する。具体的に例を挙げると、顧客によって、カード挿入部１５０にＩＣキャッシュカード５００が挿入され、表示操作部１３０上に表示された「契約ボタン」「解約ボタン」「預入ボタン」「払出ボタン」のいずれかが選択されると、生体情報取得部１４０は、置かれた顧客の掌から静脈情報を取得して、物品預入払出機１００の機内に一切記憶することなく、カード挿入部１５０に挿入されたＩＣキャッシュカード５００に後述する統括制御部６１０を介してＩＣキャッシュカード５００に出力する。また、取得した生体情報は、ＩＣキャッシュカード５００によって生体認証が実行されると破棄される。
【００５２】
記憶部３５０は、表示操作部１３０に表示出力する各種の画面と、主制御部６００による各種処理に必要なデータおよびプログラムを格納するとともに、特に本発明に密接に関連するものとしては、顧客情報登録テーブル３５１と、カセット収納テーブル３５２と、係員情報テーブル３５３とを備える。
【００５３】
顧客情報登録テーブル３５１は、顧客が所有するカセット２００を特定する情報を記憶する。具体的に例を挙げれば、図９に示すように、顧客情報登録テーブル３５１は、契約している顧客を示す「顧客名」に対応付けて、『顧客が所有するカセットを一意に識別する「カセット番号」、顧客が契約する取引銀行の銀行番号「銀行番号」、この取引銀行のうちの顧客がカセット２００を買取契約又はリース契約を行った支店を特定する「支店番号」、顧客がこの取引銀行に開いた口座の種類を示す「科目」、顧客がこの取引銀行に開いた口座の「口座番号」、利用した日時を示す「利用ログ」』を記憶し、例えば、「桑田○○男、０１２３、ＡＢＳＸＸＸ、Ｈ２０ＸＸＸ、普通、０００１１１、2007年．○月×日」などと記憶する。この例では、「桑田○○男」がカセット番号「０１２３」のカセット２００と契約しており、最後に利用した日時が「2007年○月×日」であることを示している。また、利用ログの欄には、物品預入払出機１００を利用した日付や利用回数などが記憶される。
【００５４】
カセット収納テーブル３５２は、カセット２００の格納位置を特定する情報を記憶する。具体的に例を挙げて説明すると、図１０に示すように、カセット収納テーブル３５２は、「カセット番号」に対応付けて、カセットの収納位置を示す「アドレス番号」と当該カセットの状態を示す「フラグ」とを記憶し、例えば、「０１２３、０００Ｘ００１、０１」などと記憶する。この例では、カセット番号「０１２３」が契約済み「０１」であり、アドレス番号「０００Ｘ００１」に収納されていることを示している。
【００５５】
また、ここで示すフラグは、未使用のカセット２００がカセット収納部３００に収納されている場合には「００」となり、登録済みのカセット２００がカセット収納部３００に収納されている場合には「０１」となり、カセット２００の取り出し中である場合には「０２」となり、登録外のカセット２００がカセット収納部３００に収納されている場合には「ＦＦ」となり、登録されたカセット２００が行方不明である場合には「ＦＥ」となる。なお、ここでは説明の便宜上図示省略したが、上記以外に顧客の氏名、登録日時、前回の利用日時、利用回数等を記憶することもできる。
【００５６】
係員情報テーブル３５３は、物品預入払出機１００に対して各種保守作業を実行する保守員に関する情報を記憶する。具体的に例を挙げれば、図１１に示すように、係員情報テーブル３５３は、保守員を示す「係員名」に対応付けて、係員を一意に識別する暗証番号を示す「暗証番号」として「保守太郎、０１２３」などとを記憶する。
【００５７】
次に、主制御部６００について説明する。主制御部６００は、物品預入払出機１００を全体制御する制御部であり、特に本発明に密接に関連するものとしては、統括制御部６１０と、契約処理部６２０と、解約処理部６３０と、預入処理部６４０と、払出処理部６５０と、精査判定部６６０と、保守運用部６７０とを有する。
【００５８】
統括制御部６１０は、契約、解約、預入、払出などの各種処理を統括的に制御する。具体的に例を挙げれば、統括制御部６１０は、生体情報取得部１４０により取得された顧客の生体情報をＩＣキャッシュカード５００に送信して認証結果を受信し、受信した認証結果に応じて後続の処理を実行するために各制御部に指示したりする。
【００５９】
具体的には、ＩＣキャッシュカード５００によって、記憶される生体情報と取得した生体情報とが一致していると判定された旨の信号を受信すると、統括制御部６１０は、表示操作部１３０上に表示された「契約ボタン」「解約ボタン」「預入ボタン」「払出ボタン」の選択に応じて、後述する契約処理を実行する指示を契約処理部６２０に送信したり、解約処理を実行する指示を解約処理部６３０に出力したり、預入処理を実行する指示を預入処理部６４０に出力したり、払出処理を実行する指示を払出処理部６５０に出力したりする。一方、ＩＣキャッシュカード５００によって、記憶される生体情報と取得した生体情報とが一致していないと判定された旨の信号を受信すると、統括制御部６１０は、処理を終了して挿入されたカードを排出するようにカード挿入部１５０に指示する。
【００６０】
また、保守員によって、カード挿入部１５０に保守用ＩＣキャッシュカードが挿入され、表示操作部１３０上に表示された「保守運用ボタン」が選択されて、生体情報取得部１４０に掌が置かれると、統括制御部６１０は、表示操作部１３０から暗証番号の入力を受け付ける。そして、統括制御部６１０は、係員情報テーブル３５３に記憶される暗証番号と取得した暗証番号とが一致していると判定すると、保守運用処理を実行する指示を保守運用部６７０に出力する。一方、一致していない旨の信号を受信した統括制御部６１０は、処理を終了して挿入されたカードを排出するようにカード挿入部１５０に指示する。
【００６１】
契約処理部６２０は、保守員などの係員が顧客とカセット２００との契約を認めた上で、係員立会いのもと係員の指示操作により、カセット２００の契約（登録）に関する処理を実行する。具体的に例を挙げれば、契約処理を実行する指示を統括制御部６１０から受信した契約処理部６２０は、カード挿入部１５０に挿入されたＩＣキャッシュカード５００に記憶される顧客情報「銀行番号、支店番号、科目、口座番号」を取得するとともに、カセット収納テーブル３５２を参照し、フラグが「００（未使用）」のカセット２００を選択してカセット番号を取得する。続いて、契約処理部６２０は、取得した顧客情報「銀行番号、支店番号、科目、口座番号」と「カセット番号」と、保守員によって表示操作部１３０から入力された「顧客名」とを対応付けて顧客情報登録テーブル３５１に格納し、カセット収納テーブル３５２において当該カセット番号に対応するフラグを「０１（登録済み）」に書き換える。
【００６２】
そして、契約処理部６２０は、取得した顧客情報「銀行番号、支店番号、科目、口座番号」を登録したカセットのＩＤタグに書き込むように、リーダライタ４０１に指示し、指示されたリーダライタ４０１は、当該顧客情報を登録されたカセット２００の収納位置までカセット搬送装置４００によって移動されて、当該カセットのＩＤタグに書き込む。以降、顧客は、カセットを契約したことになり、重要物の預入を行うことができる。
【００６３】
解約処理部６３０は、保守員などの係員が顧客とカセット２００との解約を認めた上で、係員立会いのもと係員の指示操作により、カセット２００の解約に関する処理を実行する。具体的に例を挙げれば、解約処理を実行する指示を統括制御部６１０から受信した解約処理部６３０は、ＩＣキャッシュカード５００から顧客情報を取得するとともに、顧客がカセット２００を利用した料金を表示操作部１３０に表示させる。そして、解約処理部６３０は、取得した顧客情報に対応するカセット番号を顧客情報登録テーブル３５１から取得し、カセット収納テーブル３５２に記憶される取得したカセット番号に対応するフラグを参照する。
【００６４】
続いて、解約処理部６３０は、フラグが「０２（取出中）」であれば、カセット受渡口１２０に当該カセット２００が挿入されるまで待機する。そして、解約処理部６３０は、カセット２００が挿入されるか、フラグが「０１（収納中）」であれば、表示操作部１３０により受け付けられた保守員の指示操作により、カセット２００のＩＤタグ２３０に記憶される顧客情報を削除するようにリーダライタ４０１に指示し、また、顧客情報登録テーブル３５１に記憶される顧客情報を削除するとともに、カセット収納テーブル３５２に記憶されるカセット２００に対応するフラグを「００（未登録）」に書き換える。なお、料金については、記憶されていた口座番号より自動的に引き落とすようにしてもよい。
【００６５】
預入処理部６４０は、カセット２００を当該物品預入払出機１００に預け入れる処理を実行する。具体的に例を挙げれば、預入処理を実行する指示を統括制御部６１０から受信した預入処理部６４０は、ＩＣキャッシュカード５００から顧客情報を取得するとともに、カセット受渡口１２０のシャッタ１２１を開口して、カセット２００が挿入されるまで待機する。そして、カセット２００が挿入されると、預入処理部６４０は、取得した顧客情報に対応するカセット番号を顧客情報登録テーブル３５１から取得して、さらに当該カセットの収納位置を示すアドレス番号をカセット収納テーブル３５２から取得する。その後、預入処理部６４０は、搬送駆動制御部４４４に対して、取得したアドレス番号にカセット２００を収納するように指示を出力する。指示を受信した搬送駆動制御部４４４は、カセット搬送装置４００を用いてカセット２００を収納位置まで移動させて格納する。
【００６６】
なお、ここでは、挿入されたＩＣキャッシュカード５００に記憶される顧客情報から顧客情報登録テーブル３５１とカセット収納テーブル３５２とを参照してカセット２００の位置を特定する場合について説明したが、顧客によって挿入されたカセット２００のＩＤタグ２３０からカセット番号を取得し、取得したカセット番号とカセット収納テーブル３５２とから当該カセットの収納位置を特定するようにしてもよい。
【００６７】
具体的に、顧客によって挿入されたカセット２００のＩＤタグ２３０から当該カセットの収納位置を特定する場合について説明する。カセット受渡口１２０にカセット２００が挿入されると、預入処理部６４０は、カセット搬送装置４００のリーダライタ４０１に対して、カセット２００に付設されたＩＤタグ２３０からカセット番号を読み出すように指示する。そして、預入処理部６４０は、読み出されたカセット番号に対応するカセット収納部３００を、カセット収納テーブル３５２から特定し、カセット搬送装置４００に対して特定されたカセット収納部３００に挿入されたカセット２００を搬送して収納するように指示を出力する。
【００６８】
払出処理部６５０は、カード挿入口１５０により受け付けられたＩＣキャッシュカード５００に記憶される生体情報と、顧客から入力された生体情報とが一致していることを条件に、それぞれ顧客情報を記憶する複数のカセット２００から、カード挿入口１５０による受け付けられた顧客情報によって特定されるカセット２００を払出す。具体的に例を挙げれば、払出処理を実行する指示を統括制御部６１０から受信した払出処理部６５０は、カード挿入部１５０に挿入されたＩＣキャッシュカード５００に記憶される顧客情報「銀行番号、支店番号、科目、口座番号」を取得し、取得した顧客情報に対応するカセット番号を顧客情報登録テーブル３５１から取得する。なお、顧客が複数のカセットを契約している場合は、表示操作部１３０により顧客から払出を希望するカセット番号を受け付ける。
【００６９】
続いて、払出処理部６５０は、取得したカセット番号に対応するカセット２００のアドレス番号をカセット収納テーブル３５２から取得する。そして、払出処理部６５０は、取得したアドレス番号からカセット２００を取得して、カセット受渡口１２０に排出するように搬送駆動制御部４４４に指示する。その後、搬送駆動制御部４４４は、当該顧客に契約されている正当なカセット２００であるか否かが、後述する精査判定部６６０によって指示通り取得したカセット２００のＩＤタグ２３０に記憶される情報を用いて精査されると、カセット受渡口１２０に排出する。
【００７０】
なお、取得された生体情報は、ＩＣキャッシュカード５００によって生体認証が実行されると、破棄されるために、物品預入払出機１００には一切記憶されない。また、本実施例では、払出処理部６５０は、カード挿入部１５０に挿入されたＩＣキャッシュカード５００から取得した顧客情報に対応するカセット番号とアドレス番号とを、顧客情報登録テーブル３５１とカセット収納テーブル３５２とから特定する場合について説明しているが、ＩＣキャッシュカード５００から取得した顧客情報を記憶するカセットを、カセット収納部３００に記憶されるカセット２００のＩＤタグ２３０を参照して特定するようにしてもよい。
【００７１】
精査判定部６６０は、払い出されるカセット２００が払い出させられるべき正しいカセット２００であるか否かを精査する。具体的に例を挙げれば、搬送駆動制御部４４４によって払出されるカセット２００の収納位置に到達すると、精査判定部６６０は、当該カセット２００のＩＤタグ２３０に記憶される「カセット番号」と「顧客情報」（銀行番号、支店番号、科目、口座番号）を取得し、取得した情報（「カセット番号」と「顧客情報」）と顧客情報登録テーブル３５１に記憶される「カセット番号、銀行番号、支店番号、科目、口座番号」と一致するか否かを精査する。
【００７２】
そして、精査判定部６６０は、一致する場合にのみ、当該カセット２００が払い出されることを許可し、一致しない場合には、払い出されることを拒否して払出処理を終了する。また、カセット２００に記憶される「カセット番号」と「顧客情報」（銀行番号、支店番号、科目、口座番号）とが暗号化されていた場合、当該暗号化される「カセット番号」と「顧客情報」とを復号化して当該情報を精査する。
【００７３】
保守運用部６７０は、保守係員を認証して物品預入払出機１００に対する保守作業を提供する保守処理を実施する。具体的に例を挙げれば、保守運用処理を実行する指示を統括制御部６１０から受信した保守運用部６７０は、各種保守内容（例えば、各種障害対応、カセット入れ替え、メモリ増加、ＨＤＤ増加など）の処理内容を表示操作部１３０に表示出力して、保守員からの操作を受け付け、受け付けた処理内容に応じた処理を実行する。また、ここでは、保守運用部６７０は、表示操作部１３０から暗証番号を受け付けて、当該暗証番号が係員情報テーブル３５３に記憶されている暗証番号と一致すると、保守処理を実行する場合について説明したが、保守用ＩＣキャッシュカードによって、保守用ＩＣキャッシュカードが記憶する生体情報と取得した生体情報とが一致すると、保守処理を実行するようにしてもよい。
【００７４】
［物品預入払出機１００による処理］
次に、図１２〜図１７を用いて、実施例１に係る物品預入払出機１００による処理を説明する。なお、ここでは、全体的な処理の流れ、契約処理の流れ、解約処理の流れ、預入処理の流れ、払出処理の流れについて順に説明する。
【００７５】
（全体的な処理の流れ）
まず、図１２と図１３とを用いて、実施例１に係る物品預入払出機１００による全体的な処理の流れについて説明する。図１２は、実施例１に係る物品預入払出機１００による全体的な処理の流れを示すフローチャートであり、図１３は、表示操作部１３０に表示される画面例を示す図である。ここで用いる画面表示例は、あくまで一例であり、これに限定されるものではない。
【００７６】
図１２に示すように、顧客が物品預入払出機１００に近付き、顧客検知センサ１１２が当該顧客を検知すると（ステップＳ１２０１肯定）、物品預入払出機１００の統括制御部６１０は、図１３−１に示したＩＣキャッシュカード５００の挿入を促す画面とカード挿入口１５０の位置を示す画面を表示操作部１３０に表示させて、顧客からＩＣキャッシュカード５００が挿入されるのを待つ（ステップＳ１２０２）。
【００７７】
続いて、顧客によってＩＣキャッシュカード５００がカード挿入口１５０に挿入されると（ステップＳ１２０２肯定）、統括制御部６１０は、当該顧客の生体情報を取得するために、図１３−２に示したような掌を生体情報取得部１４０に置くことを促す画面を表示操作部１３０に表示させて、顧客の「生体情報」を取得し、カード挿入口１５０に挿入されたＩＣキャッシュカード５００に取得した「生体情報」を送信する（ステップＳ１２０３）。
【００７８】
そして、生体情報取得部１４０によって取得された「生体情報」を統括制御部６１０から受信したＩＣキャッシュカード５００は、記憶する「生体情報」と受信した「生体情報」とが一致しているか否か、つまり、当該顧客が正当な顧客であるか否かを判定する（ステップＳ１２０４）。
【００７９】
その後、統括制御部６１０は、ＩＣキャッシュカード５００によって一致している旨の信号を受信すると（ステップＳ１２０４肯定）、カード挿入口１５０に挿入されたＩＣキャッシュカード５００から顧客情報を取得し、顧客情報登録テーブル３５１を参照して取得した「顧客情報」に対応する「カセット番号」が存在するか、つまり、カセット２００が契約済みであるか否かを判定する（ステップＳ１２０５）。
【００８０】
そして、カセット２００が契約済みである場合（ステップＳ１２０５肯定）、統括制御部６１０は、図１３−３に示したような、「契約」「解約」「預入」「払出」の各種処理を受け付けるボタンを表示した画面を表示操作部１３０に表示させて、取引内容を受け付ける（ステップＳ１２０６）。
【００８１】
その後、統括制御部６１０は、図１３−３に示した「契約ボタン」が顧客によって選択されると（ステップＳ１２０７肯定）、契約処理を実行するように契約処理部６２０に指示し、契約処理部６２０は、契約処理を実行する（ステップＳ１２０８）。
【００８２】
同様に、統括制御部６１０は、図１３−３に示した「解約ボタン」が顧客によって選択されると（ステップＳ１２０９肯定）、解約処理を実行するように解約処理部６３０に指示し、解約処理部６３０は、解約処理を実行する（ステップＳ１２１０）。
【００８３】
また、統括制御部６１０は、図１３−３に示した「預入ボタン」が顧客によって選択されると（ステップＳ１２１１肯定）、預入処理を実行するように預入処理部６４０に指示し、預入処理部６４０は、預入処理を実行する（ステップＳ１２１２）。
【００８４】
また、統括制御部６１０は、図１３−３に示した「取出ボタン」が顧客によって選択されると（ステップＳ１２１３肯定）、払出処理を実行するように払出処理部６５０に指示し、払出処理部６５０は、払出処理を実行する（ステップＳ１２１４）。
【００８５】
そして、統括制御部６１０は、図１３−３に示した「終了ボタン」が顧客によって選択されると（ステップＳ１２１５肯定）、カード挿入口１５０に対して挿入されたＩＣキャッシュカード５００を排出するように指示し（ステップＳ１２１６）、排出されたＩＣキャッシュカード５００が顧客によって抜き取られたことを確認すると（ステップＳ１２１７肯定）、当該処理を終了する。
【００８６】
一方、ステップＳ１２０４に戻り、ＩＣキャッシュカード５００によって、正当な顧客でないと判定されると（ステップＳ１２０４否定）、統括制御部６１０は、カード挿入口１５０に対して挿入されたＩＣキャッシュカード５００を排出するように指示して、図１３−４の示すようなＩＣキャッシュカード５００の抜き取りを顧客に促す画面を表示させ（ステップＳ１２１６）、排出されたＩＣキャッシュカード５００が顧客によって抜き取られたことを確認すると（ステップＳ１２１７肯定）、当該処理を終了する。
【００８７】
また、ステップＳ１２０５に戻り、カセット２００が契約済みでない場合（ステップＳ１２０５否定）、統括制御部６１０は、契約処理を実行するように契約処理部６２０に指示し、契約処理部６２０は、契約処理を実行する（ステップＳ１２０８）。
【００８８】
（契約処理の流れ）
次に、図１４を用いて、実施例１に係る物品預入払出機１００による契約処理の流れについて説明する。図１４は、実施例１に係る物品預入払出機１００による契約処理の流れを示すフローチャートである。なお、この契約処理は、保守員などの係員が、顧客とカセットとの契約を認めた上で、係員立会いのもとに係員の指示により実行される。
【００８９】
図１４に示すように、契約処理を実行する指示を統括制御部６１０から受信した契約処理部６２０は、カセット収納部３００に収納される複数のカセット２００において、未使用のカセット２００が存在するか否かを、カセット収納テーブル３５２を参照して判定する（ステップＳ１４０１）。
【００９０】
未使用のカセット２００が存在する場合（ステップＳ１４０１肯定）、契約処理部６２０は、カード挿入部１５０に挿入されたＩＣキャッシュカード５００に記憶される顧客情報「銀行番号、支店番号、科目、口座番号」を取得し、また、カセット収納テーブル３５２を参照してフラグが「００（未使用）」のカセット２００を選択して「カセット番号」を取得し、これらの取得した情報を関連付けて顧客情報登録テーブル３５１に格納するとともに、カセット収納テーブル３５２において当該カセット番号に対応するフラグを「０１（登録済み）」に書き換える。（ステップＳ１４０２）。
【００９１】
続いて、契約処理部６２０は、取得した顧客情報「銀行番号、支店番号、科目、口座番号」を、取得したカセット番号のカセット２００に付設されるＩＤタグ２３０に暗号化して書き込むようにリーダライタ４０１に指示し、指示を受けたリーダライタ４０１は、当該顧客情報を暗号化してＩＤタグ２３０に書き込む（ステップＳ１４０３）。
【００９２】
そして、契約処理部６２０は、挿入されたＩＣキャッシュカード５００を排出するようにカード挿入部１５０に指示し（ステップＳ１４０４）、ＩＣキャッシュカード５００が顧客によって抜き取られたことを確認すると（ステップＳ１４０５）、「顧客情報」を格納したカセット２００を排出するように搬送駆動制御部４４４に指示する（ステップＳ１４０６）。指示を受けた搬送駆動制御部４４４は、カセット搬送装置４００を用いて当該カセットを取得してカセット受渡口１２０にカセットを排出する。そして、契約処理部６２０は、排出されたカセット２００が顧客によって受け取られたことを確認すると（ステップＳ１４０７）、当該処理を終了する。
【００９３】
一方、ステップＳ１４０１に戻り、未使用のカセット２００が存在しない場合（ステップＳ１４０１否定）、契約処理部６２０は、処理を終了する。
【００９４】
（解約処理の流れ）
次に、図１５を用いて、実施例１に係る物品預入払出機１００による解約処理の流れについて説明する。図１５は、実施例１に係る物品預入払出機１００による解約処理の流れを示すフローチャートである。なお、この解約処理は、保守員などの係員が、顧客とカセットとの解約を認めた上で、係員立会いのもとに係員の指示により実行される。
【００９５】
図１５に示すように、解約処理を実行する指示を統括制御部６１０から受信した解約処理部６３０は、顧客が利用した料金を表示操作部１３０に表示する（ステップＳ１５０１）。
【００９６】
そして、解約処理部６３０は、カード挿入部１５０にＩＣキャッシュカード５００から「顧客情報」を取得し、取得した「顧客情報」に対応する「カセット番号」を顧客情報登録テーブル３５１から取得し、カセット収納テーブル３５２に記憶される取得した「カセット番号」に対応する「フラグ」を参照して、契約下にあるカセット２００が預かり中か否かを判定する（ステップＳ１５０２）。
【００９７】
契約下にあるカセット２００が預かり中である場合（ステップＳ１５０２肯定）、解約処理部６３０は、カセット２００を排出するように搬送駆動制御部４４４に指示し、指示を受けた搬送駆動制御部４４４は、カセット搬送装置４００を用いて当該カセット２００を取得してカセット受渡口１２０にカセットを排出する（ステップＳ１５０３）。
【００９８】
そして、解約処理部６３０は、排出されたカセット２００が顧客によって受け取られたことを確認すると（ステップＳ１５０４肯定）、排出されたカセット２００が顧客により投入されるまで待機する（ステップＳ１５０５）。
【００９９】
その後、排出されたカセット２００が顧客により投入されたことを確認すると（ステップＳ１５０６肯定）、解約処理部６３０は、当該カセット２００をカセット収納部３００に収納して、当該カセット２００のＩＤタグ２３０に記憶される「顧客情報」を削除するように、リーダライタ４０１に指示し、指示を受けたリーダライタ４０１は、ＩＤタグ２３０に記憶される「顧客情報」を削除する（ステップＳ１５０７）。
【０１００】
続いて、解約処理部６３０は、顧客情報登録テーブル３５１に記憶される「顧客情報」を削除するとともに、カセット収納テーブル３５２に記憶されるカセット２００に対応する「フラグ」を「００（未登録）」に書き換える（ステップＳ１５０８）。
【０１０１】
そして、解約処理部６３０は、挿入されたＩＣキャッシュカード５００を排出するようにカード挿入部１５０に指示し（ステップＳ１５０９）、ＩＣキャッシュカード５００が顧客によって抜き取られたことを確認すると（ステップＳ１５１０）、当該処理を終了する。
【０１０２】
一方、ステップＳ１５０２に戻り、契約下にあるカセット２００が預かり中でない場合（ステップＳ１５０２否定）、解約処理部６３０は、ステップＳ１５０５以降の処理を行う。
【０１０３】
（預入処理の流れ）
次に、図１６を用いて、実施例１に係る物品預入払出機１００による預入処理の流れについて説明する。図１６は、実施例１に係る物品預入払出機１００による預入処理の流れを示すフローチャートである。
【０１０４】
図１６に示すように、預入処理を実行する指示を統括制御部６１０から受信した預入処理部６４０は、カード挿入口１５０に挿入されたＩＣキャッシュカード５００から「顧客情報」を取得する（ステップＳ１６０１）。
【０１０５】
続いて、顧客によってカセット受渡口１２０にカセット２００が投入されると（ステップＳ１６０２肯定）、預入処理部６４０は、ＩＣキャッシュカード５００から取得した「顧客情報」に対応する「カセット番号」を顧客情報登録テーブル３５１から取得して、さらに、当該カセット２００の「アドレス番号（収納位置）」をカセット収納テーブル３５２から取得する（ステップＳ１６０３）。
【０１０６】
そして、預入処理部６４０は、搬送駆動制御部４４４に対して、当該カセット２００を取得した「アドレス番号」に格納するように指示を出力し、指示を受信した搬送駆動制御部４４４は、カセット搬送装置４００を用いてカセット２００を収納位置まで移動させて格納する（ステップＳ１６０４）。
【０１０７】
その後、預入処理部６４０は、挿入されたＩＣキャッシュカード５００を排出するようにカード挿入部１５０に指示し（ステップＳ１６０５）、ＩＣキャッシュカード５００が顧客によって抜き取られたことを確認すると（ステップＳ１６０６）、当該処理を終了する。
【０１０８】
（払出処理の流れ）
次に、図１７を用いて、実施例１に係る物品預入払出機１００による払出処理の流れについて説明する。図１７は、実施例１に係る物品預入払出機１００による払出処理の流れを示すフローチャートである。
【０１０９】
図１７に示すように、払出処理を実行する指示を統括制御部６１０から受信した払出処理部６５０は、カード挿入口１５０に挿入されたＩＣキャッシュカード５００から「顧客情報」を取得する（ステップＳ１７０１）。
【０１１０】
すると、払出処理部６５０は、取得した「顧客情報」に対応する「カセット番号」を顧客情報登録テーブル３５１から取得し、カセット収納テーブル３５２に記憶される取得した「カセット番号」に対応する「フラグ」を参照して、契約下にあるカセット２００が預かり中か否かを判定する（ステップＳ１７０２）。
【０１１１】
契約下にあるカセット２００が預かり中である場合（ステップＳ１７０２肯定）、払出処理部６５０は、取得した「顧客情報」に対応する「カセット番号」が複数あるか否かを顧客情報登録テーブル３５１を参照して判定する（ステップＳ１７０３）。
【０１１２】
取得した「顧客情報」に対応する「カセット番号」が複数ある場合（ステップＳ１７０３肯定）、払出処理部６５０は、当該顧客の契約下にある「カセット番号」を表示操作部１３０に表示して（ステップＳ１７０４）、払出しを希望する「カセット番号」の入力を顧客より受け付ける（ステップＳ１７０５）。
【０１１３】
払出しを希望する「カセット番号」の入力を顧客より受け付けると（ステップＳ１７０５肯定）、払出処理部６５０は、入力されたカセット番号の収納位置を示す「アドレス番号」をカセット収納テーブル３５２から取得して、取得した「アドレス番号」に収納される当該カセット２００を払出すように搬送駆動制御部４４４に指示する（ステップＳ１７０６）。
【０１１４】
そして、搬送駆動制御部４４４によってカセット搬送装置４００が当該カセット２００の収納位置まで到達すると、精査判定部６６０は、リーダライタ４０１により復号して読み出された当該カセット２００のＩＤタグ２３０に記憶される「カセット番号」と「顧客情報」とを読み出し（ステップＳ１７０７）、読み出された情報が顧客情報登録テーブル３５１に記憶される「カセット番号、銀行番号、支店番号、科目、口座番号」一致するか否かを精査する（ステップＳ１７０８）。
【０１１５】
精査した結果、カセット２００のＩＤタグ２３０から読み出された情報が正しいと判定されると（ステップＳ１７０８肯定）、払出処理部６５０は、カセット２００を排出するように搬送駆動制御部４４４に指示し、指示を受けた搬送駆動制御部４４４は、カセット搬送装置４００を用いて当該カセットを取得してカセット受渡口１２０にカセットを排出する（ステップＳ１７０９）。そして、払出処理部６５０は、排出されたカセット２００が顧客によって受け取られたことを確認する（ステップＳ１７１０）。
【０１１６】
その後、出されたカセット２００が顧客によって受け取られたことを確認すると（ステップＳ１７１０肯定）、払出処理部６５０は、挿入されたＩＣキャッシュカード５００を排出するようにカード挿入部１５０に指示し（ステップＳ１７１１）、ＩＣキャッシュカード５００が顧客によって抜き取られたことを確認すると（ステップＳ１７１２肯定）、当該処理を終了する。
【０１１７】
［実施例１による効果］
このように、実施例１によれば、顧客の生体情報と、顧客から受け付けるＩＣキャッシュカード５００を特定する情報である媒体特定情報とを記憶するＩＣキャッシュカード５００を顧客から受け付け、受け付けられたＩＣキャッシュカード５００に記憶される生体情報と、顧客から入力された生体情報とが一致していることを条件に、それぞれ媒体特定情報を記憶する複数のカセット２００から、カード挿入口１５０による受け付けられた媒体特定情報によって特定されるカセット２００を払出すので、ＩＣキャッシュカード５００内において生体認証が実行され、媒体特定情報に基づいてカセット２００が特定される結果、機内に生体情報を記憶することなく、顧客を適正に認証して適切な物品収容器を払出すことが可能である。
【０１１８】
また、実施例１によれば、生体情報と、顧客を一意に特定する顧客情報とを記憶するＩＣキャッシュカード５００を顧客から受け付けるので、顧客情報に基づいてカセット２００が特定される結果、顧客を適正に認証して適切な物品収容器を払出すことが可能である。
【０１１９】
また、実施例１によれば、生体情報と、顧客情報として顧客の銀行番号、支店番号、科目、口座番号のうち、少なくとも口座番号を含む複数の情報を記憶し、自動貨幣取引機で使用されるＩＣキャッシュカード５００を顧客から受け付けるので、銀行などで利用できるＩＣキャッシュカードを利用することができる結果、顧客の負担を軽減することが可能である。
【０１２０】
また、実施例１によれば、カード挿入口１５０によってＩＣキャッシュカード５００が受け付けられた場合に、ＩＣキャッシュカード５００に記憶される口座番号に対応する口座から、当該カセット２００の使用料金を引き落とすので、顧客が使用料金を支払う手間を削減することが可能である。
【０１２１】
また、実施例１によれば、カセット２００は、媒体特定情報に加え、当該カセット２００を一意に特定する識別番号をさらに記憶し、カード挿入口１５０によってＩＣキャッシュカード５００に記憶される媒体特定情報によって特定されたカセット２００が複数ある場合に、複数のカセット２００に対応付けられたそれぞれの識別番号を所定の表示操作部１３０に出力して、当該識別番号の選択を顧客から受け付け、受け付けられた識別番号によって特定された当該カセット２００を払出すので、顧客が複数のカセット２００を利用することができる結果、顧客の利便性を向上させることが可能である。
【０１２２】
また、実施例１によれば、カセット２００は、媒体特定情報を暗号化して記憶し、特定されたカセット２００に記憶される暗号化された媒体特定情報を復号して、カード挿入口１５０により受け付けられたＩＣキャッシュカード５００に記憶される媒体特定情報と一致するか否かを精査し、特定されたカセット２００に記憶される暗号化された媒体特定情報が、ＩＣキャッシュカード５００に記憶される媒体特定情報と一致すると判定された場合に、特定された当該カセット２００を払出すので、払出す際の間違いを事前にチェックすることができる結果、セキュリティをさらに高くすることが可能である。
【０１２３】
また、実施例１によれば、物品預入払出機１００の保守を行う係員の生体情報と、係員を一意に識別する暗証番号を示す暗証番号とを記憶し、カード挿入口１５０によって、生体情報と暗証番号とを記憶する保守用ＩＣキャッシュカードを受け付けた場合に、前保守用ＩＣキャッシュカードに記憶される生体情報と、係員から入力された生体情報とが一致している、または、保守用ＩＣキャッシュカードに記憶される暗証番号と、係員から入力された暗証番号とが一致していることを条件に、係員に対して当該物品預入払出機１００の各種保守作業を提供するので、保守員に対しても認証することができる結果、保守作業を行うのに際しても、セキュリティを高く保ちつつ、利便性を向上させることが可能である。
【実施例２】
【０１２４】
さて、これまで本発明の実施例について説明したが、本発明は上述した実施例以外にも、種々の異なる形態にて実施されてよいものである。そこで、以下に示すように、（１）認証手法、（２）ネットワークによる管理、（３）システム構成等、（４）プログラムにそれぞれ区分けして異なる実施例を説明する。
【０１２５】
（１）認証手法
例えば、実施例１では、顧客の生体情報を用いて認証する場合について説明したが、本発明はこれに限定されるものではなく、顧客により定められた暗証番号を用いるようにしてもよい。例えば、ＩＣキャッシュカード５００は、暗証番号を記憶しており、入力された暗証番号と記憶する暗証番号が一致するか否かを認証することもできる。また、生体情報を用いるか暗証番号を用いるかを、顧客に選択させることもできる。
【０１２６】
また、実施例１では、保守員を認証する際に保守員の暗証番号を用いる場合について説明したが、本発明はこれに限定されるものではなく、保守員の生体情報を用いるようにしてもよい。保守用ＩＣキャッシュカードに記憶される保守員の生体情報と、入力された保守員の生体情報とが一致している場合に、各種保守作業を提供するようにすることもできる。
【０１２７】
（２）ネットワークによる管理
また、実施例１では、ＩＣキャッシュカード５００によって生体認証が実施される場合について説明したが、本発明はこれに限定されるものではなく、物品預入払出機１００と生体認証を記憶する管理装置とをインターネットなどのネットワークで接続して、管理装置側で生体認証を実施するようにしてもよい。このようにすることで、物品預入払出機１００の負担を軽減することができ、さらに、機内に生体情報を記憶することなく、顧客を適正に認証して適切なカセット２００を払出すことが可能である。
【０１２８】
（３）システム構成等
また、本実施例において説明した上記文書中や図面中で示した処理手順、制御手順、具体的名称、各種のデータやパラメータを含む情報（例えば、図４、図６、図９〜図１１など）については、特記する場合を除いて任意に変更することができる。
【０１２９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる（例えば、統括制御部６１０と精査判定部６６０とを統合するなど）。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３０】
（４）プログラム
また、本実施例で説明し物品預入払出機１００は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１３１】
以上のように、本発明に係る物品預入払出機は、顧客の物品を内在した物品収容器を受け入れて収納するとともに、顧客からの取り出し要求に応じて収納される物品収容器を機内より払出すことに有用であり、特に、機内に生体情報を記憶することなく、顧客を適正に認証して適切な物品収容器を払出すことに適する。
【符号の説明】
【０１３２】
１００  物品預入払出機
１１０  本体部
１１１  扉開閉検知センサ
１１２  顧客検知センサ
１２０  カセット受渡口
１２１  シャッタ
１３０  表示操作部
１４０  生体情報取得部
１５０  カード挿入部
２００  カセット
２１０  上部ケース
２２０  下部ケース
２３０  ＩＤタグ
２４０  ピン
２５０  施錠ロック
３００  カセット収納部
３５０  記憶装置
３５１  顧客情報登録テーブル
３５２  カセット収納テーブル
３５３  係員情報テーブル
４００  カセット搬送装置
４０１  リーダライタ
４４４  搬送駆動制御部
４４５  駆動モータ部
５００  ＩＣキャッシュカード
６００  主制御部
６１０  統括制御部
６２０  契約処理部
６３０  解約処理部
６４０  預入処理部
６５０  払出処理部
６６０  精査判定部
６７０  保守運用部
【図１】
0005468652.tif 000002
【図２】
0005468652.tif 000003
【図３】
0005468652.tif 000004
【図４】
0005468652.tif 000005
【図５】
0005468652.tif 000006
【図６】
0005468652.tif 000007
【図７】
0005468652.tif 000008
【図８】
0005468652.tif 000009
【図９】
0005468652.tif 000010
【図１０】
0005468652.tif 000011
【図１１】
0005468652.tif 000012
【図１２】
0005468652.tif 000013
【図１３−１】
0005468652.tif 000014
【図１３−２】
0005468652.tif 000015
【図１３−３】
0005468652.tif 000016
【図１３−４】
0005468652.tif 000017
【図１４】
0005468652.tif 000018
【図１５】
0005468652.tif 000019
【図１６】
0005468652.tif 000020
【図１７】
0005468652.tif 000021